(57)【要約】【課題】  乳幼児が背もたれの傾かないベビーカーで寝た場合の頭の揺れ等を防ぐ乳幼児の頭を支える装具。【解決手段】  本発明は布でできた帯状の装具で、帯とゴムひもで乳幼児の頭を包み支え、その帯をひも（ベルト）でベビーカーに装着する事によって乳幼児の頭の揺れを抑える。【選択図】図１
2007319642.tif 000002
【特許請求の範囲】
【請求項１】
ポケット状になった布等でできている帯であって、そのポケットに収納する事のできる帽子の役割もする頭のカバーと、取り外し可能なひさしが装着され、帯の両端にはベビーカー等に着脱できる調節器具の付いたベルト状のひもと、乳幼児の頭を支えるゴムひも等が付けられた乳幼児の頭を支える装具。
【発明の詳細な説明】
【技術分野】
【０００１】    本発明は、ベビーカー等に座って寝ている乳幼児の頭を支える事のできる、布等でできた装具に関するものである。
【背景技術】
【０００２】    背もたれの傾かないベビーカー等で乳幼児が寝た場合、頭が上下に揺れたり、ベビーカーの両サイドのパイプにぶつかるなど安眠できないが、それを防ぐ装具はなかった。
【発明の開示】
【発明が解決しようとする課題】
【０００３】    乳幼児が背もたれの傾かないベビーカー等で寝た場合、頭が上下に揺れたり、両サイドのパイプにぶつかるなどして安眠できず、ベビーカーを押す者も注意しなければならない。したがって、できるだけ乳幼児の頭が揺れたり、パイプ等にぶつかる事がないように、頭を支える装具を使う事により前述の問題を解決しようとするものである。
【課題を解決するための手段】
【０００４】    本発明は布等でできた帯と長さ調節のできるゴムひも等で、乳幼児の頭を包み支え、その帯をひも（ベルト）でベビーカー等に付け固定させる事により問題点を解決している。
【発明の効果】
【０００５】    上述の様に、本発明の乳幼児の頭を支える装具は、布等でできた帯に、ひも（ベルト）とゴムひも等を付ける事により、頭を優しく安定して包み支えることができるので、ベビーカーで寝ている乳幼児の頭が上下に揺れたり、両サイドのパイプにぶつかるなどして安眠を妨げられる事を防ぐ上、ベビーカーを押す者の負担を軽くすることができる。また取り外し可能なひさしと、帯のポケットに収納可能な布等のカバーを使用する事により、乳幼児がより快適に眠る助けになる。
【発明を実施するための最良の形態】
【０００６】    以下、本発明の実施の形態を図１〜図５に基づいて説明する。【０００７】  図においては、１は布等でできた帯であって、４はポケット状になっており、中に必要に応じて頭のカバーや冷却効果のある物等を収納する事ができる。【０００８】  ２はひも（ベルト）で、８の長さの調節器具をつける事により、ベビーカー等への着脱が簡単になっている。【０００９】  ３はゴムひもで、７の面ファスナー等の調節器具を付ける事により、乳幼児の頭のサイズに合わせて、支える強さを調節する事ができる。【００１０】  ５は取り外し可能なひさしで、その時の状態や気分で付けたり、外したりする事ができる。【００１１】  ６は１のポケット内に収納できる布等でできた帽子の役割もするカバーである。
【図面の簡単な説明】
【００１２】
【図１】本発明の乳幼児の頭を支える装具の図
【図２】頭をカバーする布をポケットから出した状態の図
【図３】同装具の一実施例を示す図
【図４】図３の頭の部分の拡大図（ひさしを付けた場合）
【図５】図３の頭の部分の拡大図（ひさしを外した場合）
【符号の説明】
【００１３】    １  布等の帯
２  ひも（ベルト）
３  ゴムひも
４  ポケット
５  ひさし
６  布等のカバー
７  面ファスナー等の調節器具
８  長さの調節器具
【図１】
2007319642.tif 000003
【図２】
2007319642.tif 000004
【図３】
2007319642.tif 000005
【図４】
2007319642.tif 000006
【図５】
2007319642.tif 000007
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
ポケット状になった布でできている帯であって、そのポケット内に収納する事ができる帽子の役割もする布のカバーと、取り外し可能なひさしが装着され、帯の両端にはベビーカーに着脱できる調節器具の付いたベルト状のひもと、乳幼児の頭を支えるゴムひもが付けられた乳幼児の頭を支える装具。
【手続補正２】
【補正対象書類名】明細書
【補正対象項目名】全文
【補正方法】変更
【補正の内容】
【発明の詳細な説明】
【技術分野】
【０００１】    本発明は、ベビーカーに座って寝ている乳幼児の頭を支える事のできる、布でできた装具に関するものである。
【背景技術】
【０００２】    背もたれの傾かないベビーカーで乳幼児が寝た場合、頭が上下に揺れたり、ベビーカーの両サイドのパイプにぶつかるなど安眠できないが、それを防ぐ装具はなかった。
【発明の開示】
【発明が解決しようとする課題】
【０００３】    乳幼児が背もたれの傾かないベビーカーで寝た場合、頭が上下に揺れたり、両サイドのパイプにぶつかるなどして安眠できず、ベビーカーを押す者も注意しなければならない。したがって、できるだけ乳幼児の頭が揺れたり、パイプ等にぶつかる事がないように、頭を支える装具を使う事により前述の問題を解決しようとするものである。
【課題を解決するための手段】
【０００４】    本発明は布でできた帯と長さ調節のできるゴムひもで、乳幼児の頭を包み支え、その帯をひも（ベルト）でベビーカーに付け固定させる事により問題点を解決している。
【発明の効果】
【０００５】    上述の様に、本発明の乳幼児の頭を支える装具は、布でできた帯に、ひも（ベルト）とゴムひもを付ける事により、頭を優しく安定して包み支えることができるので、ベビーカーで寝ている乳幼児の頭が上下に揺れたり、両サイドのパイプにぶつかるなどして安眠を妨げられる事を防ぐ上、ベビーカーを押す者の負担を軽くすることができる。また取り外し可能なひさしと、帯のポケットに収納する事ができる布のカバーを使用する事により、乳幼児がより快適に眠る助けになる。
【発明を実施するための最良の形態】
【０００６】    以下、本発明の実施の形態を図１〜図５に基づいて説明する。【０００７】  図においては、１は布でできた帯であって、４はポケット状になっており、中に必要に応じて布のカバーや冷却効果のある物を収納する事ができる。【０００８】  ２はひも（ベルト）で、８の長さの調節器具をつける事により、ベビーカーへの着脱が簡単になっている。【０００９】  ３はゴムひもで、７の面ファスナー等の調節器具を付ける事により、乳幼児の頭のサイズに合わせて、支える強さを調節する事ができる。【００１０】  ５は取り外し可能なひさしで、その時の状態や気分で付けたり、外したりする事ができる。【００１１】  ６は１のポケット内に収納する事ができる帽子の役割もする布のカバーである。
【図面の簡単な説明】
【００１２】
【図１】本発明の乳幼児の頭を支える装具の図
【図２】頭をカバーする布をポケットから出した状態の図
【図３】同装具の一実施例を示す図
【図４】図３の頭の部分の拡大図（ひさしを付けた場合）
【図５】図３の頭の部分の拡大図（ひさしを外した場合）
【符号の説明】
【００１３】        １布の帯
２  ひも（ベルト）
３  ゴムひも
４  ポケット
５  ひさし
６布のカバー
７  面ファスナー等の調節器具
８  長さの調節器具